(57)【要約】【課題】ドアの開放補助装置を内部に一体的に組み込むことにより、部品間での面倒な調整を不要とし、部品点数を少なくしてコンパクトとすることが可能なドアクローザの構造とする。【解決手段】ドアクローザ１は、ドアの開閉に伴って正逆回転するピニオン５、ピニオン５と噛合して往復移動するシリンダ９及びシリンダ９及びピニオン５を介してドアを閉じ方向に付勢する閉じばね１４からなるクローザ装置１ａと、ドアの開き作動に伴うシリンダ９の移動によりドア開放方向への開放力を蓄える開放ばね２２、ドアの開き作動に伴って開放ばね２２を開放力蓄え状態にロックするロック機構２７，２８，２９及びドアの閉じ作動によってロック機構のロックを解除するロック解除機構２３，２４からなる開放補助装置１ｂとを備える。クローザ装置１ａ及び開放補助装置１ｂがドアの開き作動によって連動するように同一のケース６の内部に配置される。【選択図】図３
2006200352.tif 000002
【特許請求の範囲】
【請求項１】
ドアを閉じ方向に回転付勢するクローザ装置と、ドアの開き作動に伴ってドア開放力を蓄えてドアを開き方向に付勢する開放補助装置とがドアの開き作動によって連動するように同一のケースの内部に配置されていることを特徴とするドアクローザ。
【請求項２】
ドアの開閉に伴って正逆回転するピニオン、このピニオンと噛合して往復移動するシリンダ及びシリンダ及びピニオンを介してドアを閉じ方向に付勢する閉じばねからなるクローザ装置と、
ドアの開き作動に伴う前記ピニオンの回転によりドア開放方向への開放力を蓄える開放ばね、ドアの開き作動に伴って開放ばねを開放力蓄え状態にロックするロック機構及びドアの閉じ作動によってロック機構のロックを解除するロック解除機構からなる開放補助装置とを備え、
前記クローザ装置及び開放補助装置がドアの開き作動によって連動するように同一のケースの内部に配置されていることを特徴とするドアクローザ。
【請求項３】
前記ケースが相互に隔離された第１室及び第２室に分離され、前記シリンダが閉じばねの付勢力を受ける第１シリンダ部及びピニオンに噛合する第２シリンダ部によって形成されており、第１シリンダ部及び第２シリンダ部が連結された状態で、前記第１室の内部に閉じばね及び第１シリンダ部が配置されると共に、前記第２室の内部にピニオン、第２シリンダ部及び開放補助装置が配置されていることを特徴とする請求項２記載のドアクローザ。
【請求項４】
前記開放補助装置は、前記開放ばねと、前記ロック機構と、前記ロック解除機構と、定位置での固定状態で前記シリンダの移動方向に沿って延びた固定部材と、前記開放ばねの付勢力を受けると共に前記シリンダとの当接が可能となっており、シリンダとの間で移動力が作用して固定部材に沿って移動する作用部材とを備え、前記ロック機構はドアの開き作動によって作用部材の移動をロックして開放ばねを開放力蓄え状態にロックするロックボールを有し、前記作用部材はロックボールによる作用部材の移動ロックをドアの閉じ作動に伴って解除することを特徴とする請求項２または３記載のドアクローザ。
【請求項５】
前記クローザ装置と開放補助装置とが前記シリンダの往復方向に沿って直列となるようにケースの内部に配置されていることを特徴とする請求項２〜４のいずれか１項記載のドアクローザ。
【請求項６】
前記開放ばねは、ドアを開き作動した当初における前記ピニオンの所定角度領域内の回転によって開放力を作用させると共に開放力を蓄え且つ、この開放力蓄え状態でロックされることを特徴とする請求項２〜５のいずれか１項記載のドアクローザ。
【請求項７】
前記ピニオンに作用部材が当接するカム面が形成されており、このカム面はドアを開き作動した当初におけるピニオンの所定角度領域内の回転によって開放ばねが開放力を作用させると共に、開放ばねが開放力を蓄え且つこの開放力蓄え状態でロックされるように形成されていることを特徴とする請求項２〜６のいずれか１項記載のドアクローザ。
【請求項８】
前記ロック機構は、前記ロックボールを作用部材の移動ロックを行う位置に移動させるロックばねを有し、前記ロック解除機構はロックばねに抗したロック解除ばねを有しており、このロック解除ばねは、ばね力の初期荷重がセットされることにより前記開放ばねが開放力を作用させるときはロックばねのばね力よりも大きく、開放ばねが開放力蓄え状態でロックされるときはロックばねのばね力よりも小さくなることを特徴とする請求項２〜７のいずれか１項記載のドアクローザ。
【発明の詳細な説明】
【技術分野】
【０００１】
本発明は、ドアを閉じる方向に付勢するドアクローザに関し、特に、ドアを開く際の操作力を補助してドアの開放を行い易くする開放補助装置が一体的に組み込まれたドアクローザに関する。
【背景技術】
【０００２】
ドアにはドアを確実に閉じるためのドアクローザが備えられている。一方、マンションやビル等の密閉性の高い建造物や、ドアが大きい場合にはドアを開ける際に大きな力が必要となっており、子供や高齢者に大きな負担となっている。このため、ドアを開く際の補助を行うドア開放補助装置が使用されている。
【０００３】
従来のドア開放補助装置は、ドアクローザとは別体となっており、ドアクローザの回転軸に連結されて回転する軸体にスライダが噛合して往復移動し、このスライダの移動に伴って付勢ばねがドア開放力を蓄える構造となっている。また、このドア開放補助装置は、付勢ばねがドア開放力の蓄え状態となるようにロックするロック部材と、このロック部材のロックをドアの閉じ作動により解除する解除部材とを備えており、これらの機構部品がドアクローザとは別のハウジング内に組み込まれている。
【０００４】
このようなドア開放補助装置をドアクローザに後付けすることにより、ドアクローザのドア閉じ方向への付勢力に抗してドアを開放方向に付勢するため、ドアの開き作動の操作力が軽減される。これにより、ドアの開放を小さな力で行うことが可能となっている。
【特許文献１】特開２００４−１４３８１２号公報
【発明の開示】
【発明が解決しようとする課題】
【０００５】
しかしながら、従来のドア開放補助装置は、ドアクローザと別体となっており、ドアクローザに後付けされる構造のため、ドアクローザと同期して作動するための調整が必須不可欠となり、その取り付けが面倒となっている。また、ドアクローザと連動するための部材が必要であり、部品点数が多いため、コストアップとなっている。さらに、ドアクローザに後から組み付けられるため、ドアクローザ及びドア開放補助装置を含めた全体が大きくなり、外観が劣化する問題を有している。
【０００６】
本発明は、このような事情を考慮してなされたものであり、ドアの開放を補助する開放補助装置を内部に一体的に組み込むことにより、面倒な調整を不要とし、且つ部品点数を少なくすることができ、さらにはコンパクトとすることが可能なドアクローザを提供することを目的とする。
【課題を解決するための手段】
【０００７】
請求項１記載の発明のドアクローザは、ドアを閉じ方向に回転付勢するクローザ装置と、ドアの開き作動に伴ってドア開放力を蓄えてドアを開き方向に付勢する開放補助装置とがドアの開き作動によって連動するように同一のケースの内部に配置されていることを特徴とする。
【０００８】
請求項２記載の発明のドアクローザは、ドアの開閉に伴って正逆回転するピニオン、このピニオンと噛合して往復移動するシリンダ及びシリンダ及びピニオンを介してドアを閉じ方向に付勢する閉じばねからなるクローザ装置と、ドアの開き作動に伴う前記ピニオンの回転によりドア開放方向への開放力を蓄える開放ばね、ドアの開き作動に伴って開放ばねを開放力蓄え状態にロックするロック機構及びドアの閉じ作動によってロック機構のロックを解除するロック解除機構からなる開放補助装置とを備え、前記クローザ装置及び開放補助装置がドアの開き作動によって連動するように同一のケースの内部に配置されていることを特徴とする。
【０００９】
請求項３記載の発明は、請求項２記載のドアクローザであって、前記ケースが相互に隔離された第１室及び第２室に分離され、前記シリンダが閉じばねの付勢力を受ける第１シリンダ部及びピニオンに噛合する第２シリンダ部によって形成されており、第１シリンダ部及び第２シリンダ部が連結された状態で、前記第１室の内部に閉じばね及び第１シリンダ部が配置されると共に、前記第２室の内部にピニオン、第２シリンダ部及び開放補助装置が配置されていることを特徴とする。
【００１０】
請求項４記載の発明は、請求項２または３記載のドアクローザであって、前記開放補助装置は、前記開放ばねと、前記ロック機構と、前記ロック解除機構と、定位置での固定状態で前記シリンダの移動方向に沿って延びた固定部材と、前記開放ばねの付勢力を受けると共に前記シリンダとの当接が可能となっており、シリンダとの間で移動力が作用して固定部材に沿って移動する作用部材とを備え、前記ロック機構はドアの開き作動によって作用部材の移動をロックして開放ばねを開放力蓄え状態にロックするロックボールを有し、前記作用部材はロックボールによる作用部材の移動ロックをドアの閉じ作動に伴って解除することを特徴とする。
【００１１】
請求項５記載の発明は、請求項２〜４のいずれか１項記載のドアクローザであって、前記クローザ装置と開放補助装置とが前記シリンダの往復方向に沿って直列となるようにケースの内部に配置されていることを特徴とする。
【００１２】
請求項６記載の発明は、請求項２〜５のいずれか１項記載のドアクローザであって、前記開放ばねは、ドアを開き作動した当初における前記ピニオンの所定角度領域内の回転によって開放力を作用させると共に開放力を蓄え且つ、この開放力蓄え状態でロックされることを特徴とする。
【００１３】
請求項７記載の発明は、請求項２〜６のいずれか１項記載のドアクローザであって、前記ピニオンに作用部材が当接するカム面が形成されており、このカム面はドアを開き作動した当初におけるピニオンの所定角度領域内の回転によって開放ばねが開放力を作用させると共に、開放ばねが開放力を蓄え且つこの開放力蓄え状態でロックされるように形成されていることを特徴とする。
【００１４】
請求項８記載の発明は、請求項２〜７のいずれか１項記載のドアクローザであって、前記ロック機構は、前記ロックボールを作用部材の移動ロックを行う位置に移動させるロックばねを有し、前記ロック解除機構はロックばねに抗したロック解除ばねを有しており、このロック解除ばねは、ばね力の初期荷重がセットされることにより前記開放ばねが開放力を作用させるときはロックばねのばね力よりも大きく、開放ばねが開放力蓄え状態でロックされるときはロックばねのばね力よりも小さくなることを特徴とする。
【発明の効果】
【００１５】
請求項１〜５記載の発明によれば、ドアを開き方向に付勢する開放補助装置がドアを閉じ方向に回転付勢するクローザ装置と共に同一のケースの内部に配置されているため、コンパクトとすることができ、外観が向上する。また、開放補助装置とクローザ装置とがドアの開き作動と連動するように配置されるため、面倒な調整が不要となり、しかも部品点数が少なくなるため故障が少なくなる。
【００１６】
請求項３記載の発明によれば、ケースが第１室及び第２室に分離され、しかもシリンダの第１シリンダ部及び第２シリンダ部が連結された状態で第１室内にクローザ装置が配置され、第２室内に開放補助装置が配置されているため、第１室内の圧力変化が第２室に影響することがない。従って、第２室内の開放補助装置は第１室の圧力の影響されることがなく、円滑且つ確実にドアの開放補助を行うことができる。
【００１７】
請求項６及び７記載の発明によれば、以上の効果に加えて、ドアを開き作動した当初における所定角度領域内、例えば人が通過できる直前のドアの回転角度まで開放ばねが開放力を作用させると共に引き続き開放力を蓄え、且つ開放力蓄え状態でロックされる。従って、一定角度まではドアを開ける方向に開放力が作用し、それから連続したドアの開き作動で開放力を蓄えるという一連の動作を人がドアから出入りできる程度までドアを開けないうちに終了することができる。このため、ドアを開けてからまだ全開しない途中で再びドアを閉じる場合であっても、開放ばねが開放力を蓄えるため、確実にドアの開放補助を行うことができる。
【００１８】
請求項８記載の発明によれば、以上の効果に加えて、ばね力の初期荷重がセットされたロック解除ばねを備えるため、開放ばねによる開放力の作用を確実に行うことができると共に、開放ばねを開放力蓄え状態で確実にロックすることができる。
【発明を実施するための最良の形態】
【００１９】
図１〜図２９は本発明の一実施形態を示し、図１はこの実施形態の正面図、図２は図１の左側面図、図３は図２のＡ−Ａ線断面図、図４は図３のＢ−Ｂ線断面図、図５は図３のＣ−Ｃ線断面図、図６は図３のＤ−Ｄ線断面図、図７は図３のＥ−Ｅ線断面図、図８はロック機構及びロック解除機構の部分断面図、図９〜図２３は作動を示す説明図、図２４〜図２９は作動を示す図８に対応した説明図である。
【００２０】
この実施形態のドアクローザ１は、図１及び図２に示すように、ドア２の室内面側または室外面側の上部にねじ等により取り付けられるものであり、壁３には平行な２本のアーム４を介して連結された状態となっている。ドアクローザ１は扁平な横長状のケース６を有し、このケース６内にクローザ装置１ａと、開放補助装置１ｂとが配置されて構成されている。
【００２１】
クローザ装置１ａはドア２を閉じ方向に回転付勢するものであり、図３に示すようにアーム４に連結されるピニオン５と、ピニオン５に噛合してケース６の長さ方向に沿って直線的に往復移動するシリンダ９と、ドア２を閉じ方向に付勢するコイルばねからなる閉じばね１４とを備えている。このクローザ装置１ａは、ピニオン５を境としてケース６の左側半分領域に配置される。
【００２２】
ケース６の一方の端部（図３における左端部）は、蓋１５が螺合されることにより封鎖され、他方の端部（図３における右端部）は後述する固定部材としてのブロック２０が螺合されることにより封鎖されている。この封鎖状態のケースの内部には、オイル１１が充填される。
【００２３】
ピニオン５はケース６の長さ方向の略中央部分に配置されるものであり、ケース６の略中央部分の上下に螺合して固定された板状の支持部材７、８に回転可能に支持されている。ピニオン５はアーム４を介してドア２の回転力が伝達され、ドア２の開閉に伴って正逆方向に回転する。この実施形態において、ピニオン５はドア２が開くときは反時計方向に回転し、ドア２が閉じるときは時計方向に回転するようになっている。ピニオン５の長さ方向中央部分には、シリンダ９が噛合するピニオンギヤ５ａが形成され、ピニオンギヤ５ａの上部にはフランジ状となったカム面５ｂが形成されている。
【００２４】
ピニオン５のカム面５ｂは、後述する作用部材のシャフト３２の先端が当接するものであり、図４に示すように、小径部５ｃと大径部５ｄとが円周方向に連設することにより構成されている。この小径部５ｃと大径部５ｄとの境界部分は滑らかな斜面に形成されるものであり、これにより、シャフト３２が小径部５ｃ及び大径部５ｄの間を移動することが可能となっている。
【００２５】
シリンダ９は図５に示すように、平面から見て横長の略矩形状に形成されており、その長さ方向の一方内面にはピニオン５のピニオンギヤ５ａと噛合するラック９ａが形成されている。シリンダ９はピニオン５がドア開き方向である反時計方向に回転すると、ケース６内を図５における左方向に移動し、ドア閉じ方向である時計方向に回転すると、右方向に移動する。
【００２６】
閉じばね１４は、図３に示すようにシリンダ９と蓋１５との間に配置されており、ドア閉じ方向である右方向に移動するようにシリンダ９を付勢する。このシリンダ９の右方向の移動によりピニオン５がドア閉じ方向である時計方向に回転する。従って、閉じばね１４はシリンダ９及びピニオン５を介してドア２を閉じる方向に付勢しており、これにより、ドア２が自動的に閉じ作動するようになっている。
【００２７】
シリンダ９における閉じばね１４側の側面には、逆止弁機構１０が設けられており、シリンダ９がドア閉じ方向である右方向に移動するときには、オイル１１の抵抗によって減速されるため、緩速度でドア２が閉じることができる。図３に示すように、逆止弁機構１０に対応するようにオイル１１の流路１３がケース６に形成されてケース６の内部と連通している。この流路１３の端部には、調整弁１２が設けられており、調整弁１２を進退操作することにより流路１３を流れるオイルの量を調整することができる。これにより、上述した減速度合いを調整することができる。
【００２８】
開放補助装置１ｂは、図３及び図８に示すように固定部材としてのブロック２０と、ピストン２１及びシャフト３２からなる作用部材と、ロック解除ピン２３及びロック解除ばね２４からなるロック解除機構と、ロックボール２７、ロックピン２８及びロックばね２９からなるロック機構と、開放ばね２２とを備えており、これらの機構部品がピニオン５を境としたケース６の右側半分領域の内部に配置されている。上述したクローザ装置１ａがケース６内の左側半分領域に配置され、開放補助装置１ｂが右側半分領域に配置されることにより、クローザ装置１ａ及び開放補助装置１ｂはシリンダ９の往復方向に沿って直列となるようにケース６の内部に配置されるため、ドアクローザ１の全体を扁平で且つコンパクトとすることができ、外観が向上すると共に取り扱い性が向上する。
【００２９】
固定部材としてのブロック２０は、ケース６の右端部に螺合されてケース６に固定される。ブロック２０にはシリンダ９に向かってシリンダ９の移動方向に沿って延びたガイド筒２０ａが一体的に形成されている。ガイド筒２０ａの外周側には、作用部材であるピストン２１及びシャフト３２が配置され、ガイド筒２０ａの内周側には、ロック解除ピン２３及びロック解除ばね２４からなるロック解除機構と、ロックピン２８及びロックばね２９からなるロック機構が配置されている。
【００３０】
シャフト３２は上述したようにピニオン５のカム面５ｂに当接するものであり、ガイド筒２０ａの外周側で同筒２０ａに沿ってケース６内を左右方向に移動する。また、ピストン２１もガイド筒２０ａに沿ってケース６内を左右方向に移動する。ピストン２１の移動は、開放ばね２２の付勢力及びシャフト２３の移動力により行われるものである。
【００３１】
ピストン２１は図８に示すように径方向に延びた鍔部２１ｄを有しており、この鍔部２１ｄとブロック２０との間に開放ばね２２が配置される。また、鍔部２１ｄはシャフト３２と当接可能となっており、鍔部２１ｄのシャフト３２との当接により、シャフト３２から移動力が付与される。ピストン２１の内部には、大径孔２１ａと小径孔２１ｂとが形成されており、小径孔２１ｂがブロック２０のガイド筒２０ａを摺動するようになっている。この小径孔２１ｂ及び大径孔２１ａとの境界部分には、テーパ面２１ｃが形成されており、ロックボール２７はテーパ面２１ｃと対応した部分に配置されている。
【００３２】
ロックボール２７は、ガイド筒２０ａに形成された貫通孔２０ｂとの対応位置に設けられており、貫通孔２０ｂに対して出入り自由となっている。そして、貫通孔２０ｂに嵌り込んだ状態でピストン２１のテーパ面２１ｃに当接することにより、ピストン２１の移動をロックするように作用する。このロックボール２７は図７に示すように円周上の３等分位置に複数が配置されており、これによりピストン２１へのロック作用を円周上で均等に作用させることが可能となっている。
【００３３】
ロック機構のロックピン２８は、小径部２８ａと大径部２８ｂとが連設することにより形成されており、小径部２８ａ内にロックボール２７が落ち込むことが可能となっている。小径部２８ａ内へのロックボール２７の落ち込みにより、ロックボール２７によるピストン２１のロックが解除される。一方、大径部２８ｂはロックボール２７がピストン２１のテーパ面２１ｃと当接した状態を維持するように作用し、これによりピストン２１がロック状態となる。ロックばね２９はコイルばねからなり、ロックピン２８がシリンダ９の方向に移動するように付勢している。
【００３４】
ロック解除機構のロック解除ピン２３は、ガイド筒２０ａにおける先端側、すなわちシリンダ９側に配置されており、ガイド筒２０ａ内から進退するように移動する。ロック解除ピン２３の進出方向への移動は、ガイド筒２０ａの先端部分に嵌め込まれたＣリング等の規制リング３１に当接することにより停止するようになっている。
【００３５】
ロック解除ばね２４はコイルばねからなり、ロック解除ピン２３とロックピン２８との間に配置されている。このロック解除ばね２４はロック機構のロックばね２９に抗したばね力を作用させるように設けられるものである。ロック解除ばね２４に対し、ストップピン２５と、第１ばね受け２６ａ及び第２ばね受け２６ｂとが組付状態となって設けられる。
【００３６】
図８に示すようにストップピン２５には、大径部２５ａ、中径部２５ｂ、小径部２５ｃが長さ方向に連設された構造となっている。第１ばね受け２６ａは、ロック解除ピン２３側に配置されており、ストップピン２５における小径部２５ｃの端部を加締めることによりストップピン２５に固定されている。第２ばね受け２６ｂはロックピン２８側に配置されており、ストップピン２５の中径部２５ｂに沿って摺動する。この摺動は、ストップピン２５の大径部２５ａにより停止する。ロック解除ばね２４は縮められることにより、ばね力の初期荷重がセットされた状態で第１ばね受け２６ａと第２ばね受け２６ｂとの間に配置される。このようにセットされたロック解除ばね２４は、開放ばね２２が開放力を作用させるときはロックばね２９のばね力よりも大きくなり、開放ばね２２が開放力蓄え状態でロックされるときはロックばね２９のばね力よりも小さくなることができる。
【００３７】
なお、図８に示すようにロックピン２８の端部には逆止弁機構３０が設けられており、逆止弁機構３０に対応したガイド筒２０ａの根元部分には小径の流路２０ｃが形成されている。これにより、オイル１１がガイド筒２０ａ内とケース６内を循環できるようになっている。
【００３８】
次に、この実施形態のドアクローザ１の作動を説明する。図３〜図５はドア２のラッチ錠（図示省略）が施錠したドア２の完全閉じ状態であり、この状態では開放補助装置１ｂのロックが解除している。図９〜図１１は施錠が解除されてドア２が全閉状態から開き作動する当初の状態であり、この状態では開放補助装置１ｂの開放力が作用している。図１２〜図１４は図９〜図１１に続いてドア２を開き作動する状態であり、この状態では開放ばね２２に対してドア２の開放力が蓄えられる。図１５〜図１７は開放ばね２２が開放力を蓄え終わって開放力蓄え状態がロックされた状態、図１８〜図２０はドア２を閉じて全閉寸前まで回転した状態であり、図２１〜図２３はドア２が全閉した状態である。
【００３９】
開放補助装置１ｂのロック解除状態では、図３〜図５に示すように、シリンダ９によってロック解除ピン２３がドア２の開放方向（右方向）に押されている。このとき、後述するようにロック解除ばね２４におけるセットされたばね力の初期荷重がロックばね２９のばね力よりも大きく設定されているため、ロックピン２８が同方向に押されてその小径部２８ａがロックボール２７の配置位置に達している。このときは開放ばね２２が最大に圧縮された状態となっており、開放ばね２２のばね力によってピストン２１の先端がシリンダ９をドア２の閉じ方向（左方向）に押圧している。なお、シャフト３２はピニオン５のカム５ｂにおける小径部５ｃとピストン２１における鍔部２１ｄとの間で自由状態となっている。
【００４０】
図３〜図５の状態に対し、ラッチ錠の施錠を外してドア２を開き作動すると、図９〜図１１に示す状態となる。図９〜図１１は、ドア２が全閉状態から開放補助領域内を回転した後、開放補助領域を通過した状態である。ラッチ錠を外してドア２を開き作動すると、開放ばね２２によって付勢されているピストン２１はシリンダ９を左方向に押す。この方向は、クローザ装置１ａの閉じばね１４の付勢方向と反対であり、シリンダ９は閉じばね１４のばね力に逆らって同方向に移動する。このため、ドア２を軽い力で開けることができる。
【００４１】
一方、ピストン２１はそのテーパ面２１ｃがロックボール２７を左方向に押しているため、ロックボール２７にはロックピン２８の小径部２８ａに落ち込む方向の分力が作用している。従って、ピストン２１が移動すると、ロックボール２７は小径部２８ａ内に落ち込むためピストン２１が左方向に移動することができる。
【００４２】
ロックボール２７がロックピン２８の小径部２８ａ内に落ち込むことにより、ロックピン２８は移動が阻止される。このため、ロックばね２９は圧縮状態で保持され、従って、ロック解除ばね２４はストップピン２５とばね受け２６ａ、２６ｂによって初期荷重がセットされた状態で保持される。この間、開放ばね２２のばね力によってドア２を軽い力で開けることができる。開放補助領域の終点位置まで移動したシャフト３２は、ピニオン５におけるカム面５ｂの小径部５ｃの終点に当接し、小径部５ｃとピストン２１の鍔部２１ｄとの間で挟まれた状態となる。
【００４３】
図９〜図１１に示す開放補助領域の終点位置を過ぎて、さらにドア２を開き作動すると、図１２〜図１４に示すように、ピニオン５が回転するためカム面５ｂの小径部５ｃから滑らかな斜面を経て大径部５ｄがシャフト３２と接触する。このため、シャフト３２は右方向に移動し、ピストン２１がシャフト３２により同方向に押される。これにより、開放ばね２２が圧縮され、ドア２の開放力を蓄える。その他の部材は、図９〜図１１の状態を維持している。
【００４４】
図１２〜図１４に示す移動によりピストン２１は、その大径孔２１ａがロックボール２７との対応位置に達する。図１５〜図１７はこれに続く状態を示す。このとき、ロック解除ばね２４はストップピン２５とばね受け２６ａ、２６ｂとによってセットされた初期荷重を保持しているため、外部すなわちロックピン２８へ作用するばね力は生じていない。このとき、ロックばね２９は図９〜図１１で説明した圧縮状態で保持されているため、ロックピン２８がロックばね２９のばね力によって左方向に移動する。また、このとき、ロックボール２７はピストン２１の小径孔２１ｂから外れているため、ロックピン２８の大径部２８ｂによって貫通孔２０ｂから外側に押し上げられてピストン２１のテーパ面２１ｃに当接する。このため、ピストン２１がロックされる。
【００４５】
このようにしてロックボール２７によるロックがなされた状態はその後継続されるため、それ以上ドア２を開けても開放補助装置１ｂがドア２の開閉に関与することがない。以上のように、ドア２の開き作動の当初において開放ばね２２がドア２の開放力を作用させた後、開放ばね２２がドア２の開放力を蓄えて開放力蓄え状態でロックされる構造では、人が出入りできるまでドア２を開かない内にドア開放の補助作用と、ドア開放力の蓄えとを連続的に終了することができる。このため、ドア２を開けてから全開に達しない途中の状態でドア２を閉じる場合であっても、開放ばね２２が開放力を蓄え損なう誤動作がなくなる。
【００４６】
図１８〜図２０は、ドア２の開き状態から全閉寸前までドア２を閉じた状態を示す。ドア２の閉じ作動によりピニオン５が時計方向に回転し、この回転に伴ってシリンダ９の先端がロック解除ピン２３に突き当たるため、ロック解除ピン２３が右方向に移動する。この移動によりロック解除ばね２４が徐々に圧縮される。このときには、ロックボール２７によるロック状態が依然として保持されている。
【００４７】
図１８〜図２０に続いてドア２が全閉されるときは図２１〜図２３に示す状態となる。ドア２の全閉位置では、後述するように、ロックボール２７がロックピン２８を押し付けている力とロックばね２９のばね力を合わせた力よりも、ロック解除ばね２４のばね力が大きくなるように設定されているため、ロックピン２８は右方向に移動し、ロックばね２９を圧縮する。この移動に際しては、逆止弁機構３０の作用により減速されるため、小径部２８ａがロックボール２７と対応するまでロックピン２８は緩速度で移動する。この減速作用により、ドア２のラッチ錠が施錠した後に、図３〜図５に示すロック解除状態となる。
【００４８】
このような実施形態では、ドアを開き方向に付勢する開放補助装置１ｂがドアを閉じ方向に回転付勢するクローザ装置１ａと共に同一のケース６の内部に配置されているため、コンパクトとすることができ、外観が向上する。また、開放補助装置１ｂとクローザ装置１ａとがドア２の開き作動と連動しているため、面倒な調整が不要となり、しかも部品点数が少なくなるため、故障が少なくなる。
【００４９】
以上の作動におけるロック解除ばね２４及びロックばね２９の作用を図２４〜図２９により説明する。ここで図２４は図３〜図５に対応し、図２５は図９〜図１１に対応し、図２６は図１２〜図１４に対応し、図２７は図１５〜図１７に対応し、図２８は図１８〜図２０に対応し、図２９は図２１〜図２３に対応している。
【００５０】
上述したように、ロック解除ばね２４がセットされる第１ばね受け２６ａ及び第２ばね受け２６ｂの内、第２ばね受け２６ｂはストップピン２５の長さ方向に沿って摺動可能となっており、この摺動がストップピン２５の大径部２５ａによって停止されるようになっている。ドア２のラッチ錠が施錠され、且つ開放補助装置１ｂのロックが解除している図３〜図５の状態では、図２４に示すように、ロック解除ばね２４は初期セットされた初期荷重Ｐ１となっており、ロック解除ばね２４が外部に作用する力Ｒは生じていない（Ｒ＝０）。一方、ロックばね２９は最大に圧縮された状態であり、その荷重はＱ１となっている。なお、ロックばね２９が最大に延びたときの荷重はＱ２である。
【００５１】
このときのロック解除ばね２４とロックばね２９との力関係は、Ｑ２、Ｑ１＜Ｐ１となっている。また、シリンダ９によってロック解除ピン２３は左方向に移動することができないため、Ｑ１＜Ｐ１、且つ外部への作用力Ｒ＝０のため、ロックばね２９はロック解除位置に留まっている。
【００５２】
ドア２が全閉状態から開き作動して開放補助領域内を動いて同領域の終点に達した状態（図９〜図１１の状態）では、図２５に示すようにロックボール２７が小径部２８ａに落ち込むためロックピン２８がロックされる。このときにおけるロック解除ばね２４及びロックばね２９の荷重は、図２４の状態のままとなっている。
【００５３】
開放ばね２２が圧縮されて開放力を蓄える状態（図１２〜図１４の状態）では、図２６に示すように、ロックボール２７がピストン２１の方向に移動してロックピン２８のロックが解除される。このときのロックボール２７のロック解除位置への移動力はＦ１であり、ロック解除ピン２３の拘束がないため、ロックばね２９が力Ｆ１以上の力でロックピン２８を押すことによりロックピン２８は左方向に移動する。
【００５４】
開放ばね２２が開放力の蓄え状態でロックされた状態（図１５〜図１７の状態）では、Ｆ１＜Ｑ２＜Ｑ１であり、さらにロック解除ばね２４の外部への作用力Ｒ＝０となっているため、図２７に示すようにロックばね２９のばね力によりロックピン２８はロック位置、すなわちロックボール２７がピストン２１のテーパ面２１ｃに当接するまで確実に移動することができる。
【００５５】
閉じ作動によってドア２が全閉寸前まで閉じた状態（図１８〜図２０の状態）では、図２８に示すようにロック解除ばね２４が初期荷重のセット状態からさらに圧縮されるため、その荷重はＰ２となる。開放ばね２２のばね力により力Ｇがロックボール２７に作用しており、これによりロックピン２８には力Ｆ２が作用する。この力に逆らってロックピン２８を移動する力は、Ｆ２×μ（μは摩擦係数）となる。このとき、Ｐ２≧（Ｆ２×μ）＋Ｑ２となるため、ロックピン２８が右方向に移動し始める。
【００５６】
ドア２が全閉された状態（図２１〜図２３の状態）では、図２９に示すように、ロック解除ばね２４が最大に圧縮されており、その荷重はＰ３となる。このとき、Ｐ３＞＞（Ｆ２×μ）＋Ｑ２となるため、ロックピン２８はロック解除位置まで確実に移動することができ、図３〜図５に示す状態となる。ロックピン２８の移動終端においては、ロック解除ばね２４がセットされた初期荷重Ｐ１となるため、外部への作用力Ｒ＝０となり、ロックピン２８はロック解除位置で停止することができる。
【００５７】
以上のように、この実施形態では、ロック解除ばね２４がばね力の初期荷重がセットされているため、開放ばね２２による開放力を確実に作用させることができ、しかも確実に開放ばね２２を開放力蓄え状態で確実にロックすることができる。
【００５８】
図３０及び図３１は、本発明の別の実施形態をそれぞれ示す。
【００５９】
図３０に示す実施形態では、ピニオン５及びピストン２１の間を移動するシャフト３２が平行な２本となるように配置されている。それぞれのシャフト３２に対し、ピニオン５にはカム面５ｂが形成されており、２本のシャフト３２はピニオン５に対して同時に作用する。このため、偏荷重となることがなく、開放補助装置１ｂの作動を円滑に行うことが可能となる。
【００６０】
図３１に示す実施形態では、固定部材としてのブロック２０が支持ブロック４０を介してケース６に取り付けられる構造となっている。支持ブロック４０はねじ込みによってケース６に取り付けられ、ブロック２０はこの支持ブロック４０にねじ込みによって取り付けられる。この場合、ブロック２０は正逆回転操作することにより支持ブロック４０への取付位置を長さ方向で調整することが可能となっている。この調整を行うため、ブロック２０の端面には、ドライバー等の工具が差し込まれる工具溝４１が形成されている。このような構造では、ブロック２０の取付位置を適宜調整することができるため、シリンダ９、ピストン２１、ロック解除ピン２３が当接するタイミングを調整することが可能となる。
【００６１】
図３２及び図３３は本発明のまた、さらに別の実施形態を示し、図３２は図３に対応した断面図、図３３は図５に対応した断面図である。
【００６２】
この実施形態では、ケース６の中間部分に仕切壁６ａを設けることにより左側の第１室６ｃと、右側の第２室６ｄとがケース６の内部に隣接状態で形成されている。これらの第１室６ｃ及び第２室６ｄは後述するように仕切壁６ａ部分をシールすることにより、相互の隔離状態となってケース６に形成されるものである。従って、第１室６ｃ及び第２室６ｄは独立しており、それぞれの内部に封入されたオイル１１ａ、１１ｂが相互に行き来することはない。
【００６３】
また、クローザ装置１ａの構成部材であるシリンダ９は第１シリンダ部９１及び第２シリンダ部９２の２部材によって形成されており、第１シリンダ部９１がケース６の第１室６ｃに配置され、第２シリンダ部９２が第２室６ｄに配置される。
【００６４】
第１シリンダ部９１は大径のフランジ部９１ａと大径部９１ａからケース６の長さ方向に沿って延びる小径のシャフト部９１ｂとを有している。フランジ部９１ａは第１室６ｃの内面に沿って摺動することにより第１室６ｃにガイドされる。これにより、第１シリンダ部９１の全体は第１室６ｃ内を直線方向に往復移動する。このフランジ部９１ａの軸方向の貫通部分には、逆止弁機構１０が設けられている。また、第１室６ｃにおける第１シリンダ部９１のスライド方向の前後端を結ぶオイルの流路１３が形成されている。このオイルの流路１３には、調整弁１２が設けられている。
【００６５】
シャフト部９１ｂは仕切壁６ａを摺動可能に貫通することによりその先端部分が第２室６ｄに抜き出ている。シャフト部９１ｂが抜き出るため、仕切壁６ａにはシャフト部９１ｂが貫通する貫通穴６ｂが形成されている。この貫通穴６ｂにはシール５１が設けられており、これにより第１室６ｃと第２室６ｄとが離隔状態となっている。この場合、貫通穴６ｂとシャフト部９１ｂとの間のクリアランスを小さくして第１室６ｃと第２室６ｄとを隔離状態としても良く、これによりシール５１を省略することが可能となる。
【００６６】
第２室６ｄに配置される第２シリンダ部９２は、第２室６ｄの内面を摺動する円柱形状のブロック部９２ａを有している。従って、第２シリンダ部９２は第２室６ｄにガイドされて直線方向に往復移動することができる。ブロック部９２ａは図３３に示すようにピニオン５の両側で開放補助装置１ｂの方向に延びており、その延設部分におけるピニオン５との対向面には、ピニオン５のピニオンギヤ５ａと噛合するラック９ａが形成されている。この第２シリンダ部９２は第１シリンダ部９１のシャフト部９１ｂの先端部分がねじ結合することにより第１のシリンダ部９１と連結されるものであり、この連結状態で第１のシリンダ部９１及び第２のシリンダ部９２が一体的に作動する。
【００６７】
なお、この実施形態においても、図３０に示す実施形態と同様に、ピニオン５には、カム面５ｂが上下２箇所に形成されている。これに対し、開放補助装置１ｂにおけるピストン２１には、凸部２１ｅがカム面５ｂの方向に延びて、それぞれのカム面５ｂに対応している。従って、ピストン５に対しては、２箇所の凸部２１ｅが同時に作用するため、偏荷重となることがなく、開放補助装置１ｂが円滑に作動することができる。
【００６８】
この実施形態では、ケース６の第１室６ｃ内に閉じばね１４及び第１シリンダ部９１が配置され、第２室６ｄ内に第２シリンダ部９２、ピストン５及び開放補助装置１ｂが配置される。開放補助装置１ｂは、既述したロックピン２３及びロック解除ばね２４からなるロック解除機構と、ロックボール２７及びロックばね２９からなるロック機構と、開放ばね２２と上述したピストン２１を備えるものであり、上述した実施形態と同様に作動する。また、第１シリンダ部９１及び第２シリンダ部９２はシャフト部９１ｂが螺合することにより連結された状態となっている。このため、これらの第１シリンダ部９１及び第２シリンダ部９２は往復方向に一体的にスライドする。さらに、第１室６ｃ内にオイル１１ａが封入され、第２室６ｄにオイル１１ｂが封入されるものである。
【００６９】
このような実施形態では、ドアが閉じるとき、第１シリンダ部９１が右方向に移動し、移動方向の前方側にあるオイル１１ａを逆止弁機構１０と流路１３、調整弁１２を通じて移動させる。従って、ドアが減速されて閉じるため、ダンパー効果を発生させることができる。このときにおいては、第１室６ｃ内のオイル１１ａに高い圧力が作用するが、第２室２ｄは第１室６ｃと隔離されているため、第１室６ｃ内の圧力が第２室２ｄに伝達されることがない。従って、第２室２ｄ内に配置された開放補助装置１ｂは、ロック解除ばね２４とロックばね２９とのトルクのバランスだけで作動することができ、それ自体が円滑に作動するため、ドアの開放補助を確実に行うことができる。
【００７０】
なお、ドアを閉じる速度は調整弁１２によって調整することができるものであり、この調整においては、第１室６ｃ内のオイル１１ａへの圧力が変化するが、このときにおいても、第１室６ｃと隔離されている第２室２ｄには何ら影響することがない。従って、ドアの閉じ速度を変えた場合であっても、第２室２ｄ内の開放補助装置１ｂは円滑に作動することが可能である。
【図面の簡単な説明】
【００７１】
【図１】本発明の一実施形態のドアクローザの正面図である。
【図２】図１の左側面図である。
【図３】図２のＡ−Ａ線断面図である。
【図４】図３のＢ−Ｂ線断面図である。
【図５】図３のＣ−Ｃ線断面図である。
【図６】図３のＤ−Ｄ線断面図である。
【図７】図３のＥ−Ｅ線断面図である。
【図８】ロック機構及びロック解除機構を示す部分断面図である。
【図９】ドアの開放補助領域を終了した状態を示す図３に対応した断面図である。
【図１０】ドアの開放補助領域を終了した状態を示す図４に対応した断面図である。
【図１１】ドアの開放補助領域を終了した状態を示す図５に対応した断面図である。
【図１２】開放力蓄え状態を示す図３に対応した断面図である。
【図１３】開放力蓄え状態を示す図４に対応した断面図である。
【図１４】開放力蓄え状態を示す図５に対応した断面図である。
【図１５】開放力蓄えがロックされた状態を示す図３に対応した断面図である。
【図１６】開放力蓄えがロックされた状態を示す図４に対応した断面図である。
【図１７】開放力蓄えがロックされた状態を示す図５に対応した断面図である。
【図１８】ドアの全閉寸前の状態を示す図３に対応した断面図である。
【図１９】ドアの全閉寸前の状態を示す図４に対応した断面図である。
【図２０】ドアの全閉寸前の状態を示す図５に対応した断面図である。
【図２１】ドアの全閉状態を示す図３に対応した断面図である。
【図２２】ドアの全閉状態を示す図４に対応した断面図である。
【図２３】ドアの全閉状態を示す図５に対応した断面図である。
【図２４】図３〜図５の状態におけるロック解除ばね及びロックばねの作用を説明する断面図である。
【図２５】図９〜図１１の状態におけるロック解除ばね及びロックばねの作用を説明する断面図である。
【図２６】図１２〜図１４の状態におけるロック解除ばね及びロックばねの作用を説明する断面図である。
【図２７】図１５〜図１７の状態におけるロック解除ばね及びロックばねの作用を説明する断面図である。
【図２８】図１８〜図２０の状態におけるロック解除ばね及びロックばねの作用を説明する断面図である。
【図２９】図２１〜図２３の状態におけるロック解除ばね及びロックばねの作用を説明する断面図である。
【図３０】本発明の別の実施形態の部分断面図である。
【図３１】本発明のさらに別の実施形態の部分断面図である。
【図３２】本発明のまた、さらに別の実施形態の断面図である。
【図３３】図３２の直交した断面図である。
【符号の説明】
【００７２】
１  ドアクローザ
１ａ  クローザ装置
１ｂ  開放補助装置
５  ピニオン
５ｂ  カム面
６  ケース
６ａ  第１室
６ｂ  第２室
９  シリンダ
１４  閉じばね
２０  ブロック
２１  ピストン
２２  開放ばね
２３  ロック解除ピン
２４  ロック解除ばね
２５  ストップピン
２６ａ，２６ｂ  ばね受け
２７  ロックボール
２８  ロックピン
２９  ロックばね
９１  第１シリンダ部
９２  第２シリンダ部
【図１】
2006200352.tif 000003
【図２】
2006200352.tif 000004
【図３】
2006200352.tif 000005
【図４】
2006200352.tif 000006
【図５】
2006200352.tif 000007
【図６】
2006200352.tif 000008
【図７】
2006200352.tif 000009
【図８】
2006200352.tif 000010
【図９】
2006200352.tif 000011
【図１０】
2006200352.tif 000012
【図１１】
2006200352.tif 000013
【図１２】
2006200352.tif 000014
【図１３】
2006200352.tif 000015
【図１４】
2006200352.tif 000016
【図１５】
2006200352.tif 000017
【図１６】
2006200352.tif 000018
【図１７】
2006200352.tif 000019
【図１８】
2006200352.tif 000020
【図１９】
2006200352.tif 000021
【図２０】
2006200352.tif 000022
【図２１】
2006200352.tif 000023
【図２２】
2006200352.tif 000024
【図２３】
2006200352.tif 000025
【図２４】
2006200352.tif 000026
【図２５】
2006200352.tif 000027
【図２６】
2006200352.tif 000028
【図２７】
2006200352.tif 000029
【図２８】
2006200352.tif 000030
【図２９】
2006200352.tif 000031
【図３０】
2006200352.tif 000032
【図３１】
2006200352.tif 000033
【図３２】
2006200352.tif 000034
【図３３】
2006200352.tif 000035